(57)【要約】      （修正有）【課題】スイートスポットのサイズと位置を最適化し、飛距離を最大化できるウッドクラブヘッドを提供する。【解決手段】ゴルフクラブヘッド７００は、可変厚さプロフィールを有し、これは、厚い中央部分７４２、遷移部分７４３、および、薄い周囲部分７４４を有する。遷移部分は、厚い中央部分を包囲し、薄い周囲部分は、遷移部分を包囲し、厚い中央部分は、中心７４１を有し、この厚い中央部分の中心は、厚い中央部分の最もヒール側の部分と、厚い中央部分の最もトウ側の部分と、等しい距離に位置づけられ、厚い中央部分の中心は、打撃フェースの幾何中心７０１からずれている。【選択図】図９
2016064120.tif 000002
【特許請求の範囲】
【請求項１】
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記厚い中央部分の上記中心は上記主軸と平行な軸に沿って上記打撃フェースの幾何中心からずれていることを特徴とするゴルフクラブヘッド。
【請求項２】
上記厚い中央部分の上記中心は上記打撃フェースの上記トウ側の方向に上記幾何中心から少なくとも２ｍｍずれている請求項１記載のゴルフクラブヘッド。
【請求項３】
上記厚い中央部分の上記中心は上記打撃フェースの上記トウ側の方向に上記幾何中心から少なくとも３ｍｍ、かつ７ｍｍ未満だけずれている請求項２記載のゴルフクラブヘッド。
【請求項４】
上記厚い中央部分の上記中心は上記打撃フェースの上記トウ側の方向に上記幾何中心から少なくとも４ｍｍ、かつ６ｍｍ未満だけずれている請求項３記載のゴルフクラブヘッド。
【請求項５】
上記中央部分の上記中心から上記遷移部分の最もヒール側の部分までの距離Ｈは、上記中央部分の上記中心から上記遷移部分の最もトウ側の部分までの距離Ｇより少なくとも１ｍｍだけ長く、上記距離Ｈおよび上記距離Ｇはそれぞれ上記主軸と平行な軸に沿って測定される請求項２記載のゴルフクラブヘッド。
【請求項６】
上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる請求項１記載のゴルフクラブヘッド。
【請求項７】
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である請求項１記載のゴルフクラブヘッド。
【請求項８】
上記厚い中央部分は実質的に楕円形状であり、実質的に一定の厚さを有し、上記打撃フェースの上記幾何中心は上記主軸の中点に位置づけられる請求項１記載のゴルフクラブヘッド。
【請求項９】
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され、
上記屈曲部は、上記主軸に平行な軸に沿って上記打撃フェースの幾何中心からずれ、
上記厚い中央部分の上記中心は上記主軸と平行な軸に沿って上記打撃フェースの幾何中心から、上記屈曲部と実質的に同一の方向に、ずれていることを特徴とするゴルフクラブヘッド。
【請求項１０】
上記屈曲部は中心を有し、上記屈曲部の上記中心は、上記主軸と平行な軸に沿って、上記屈曲部の最もヒール側の部分および上記屈曲部の最もトウ側の部分から等距離に位置づけられ、上記屈曲部の上記中心は上記ゴルフクラブヘッドの上記幾何中心から少なくとも２ｍｍだけずれ、上記打撃フェースの上記厚い中央部分の上記中心は上記ゴルフクラブの上記幾何中心から少なくとも２ｍｍだけずれている請求項９記載のゴルフクラブヘッド。
【請求項１１】
上記屈曲部の上記中心は上記幾何中心から少なくとも３ｍｍ、かつ７ｍｍ未満だけずれ、かつ、上記厚い中央部分の上記中心は上記幾何中心から少なくとも３ｍｍ、かつ７ｍｍ未満だけずれている請求項１０記載のゴルフクラブヘッド。
【請求項１２】
上記屈曲部の上記中心および上記厚い中央部分の上記中心は上記主軸と平行な軸に沿って上記幾何中心から実質的に同一な方向にずれている請求項１０記載のゴルフクラブヘッド。
【請求項１３】
上記屈曲部および上記厚い中央部分の双方は上記打撃フェースの上記トウ側の方向へずれている請求項９記載のゴルフクラブヘッド。
【請求項１４】
上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる請求項９記載のゴルフクラブヘッド。
【請求項１５】
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である請求項９記載のゴルフクラブヘッド。
【請求項１６】
上記厚い中央部分は実質的に楕円形状であり、実質的に一定の厚さを有し、上記打撃フェースの上記幾何中心は上記主軸の中点に位置づけられる請求項９記載のゴルフクラブヘッド。
【請求項１７】
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され、
上記屈曲部は、上記打撃フェースの幾何中心からトウ方向のトウ部分と、上記幾何中心からヒール方向のヒール部分とを有し、
上記屈曲部の上記トウ部分および上記屈曲部の上記ヒール部分はいずれかが反対の部分より柔軟であり、
上記厚い中央部分の上記中心は上記主軸と平行な軸に沿って上記屈曲部のより柔軟な部分の方向に、ずれていることを特徴とするゴルフクラブヘッド。
【請求項１８】
上記厚い中央部分の上記中心は上記幾何中心から少なくとも２ｍｍずれている請求項１７記載のゴルフクラブヘッド。
【請求項１９】
上記厚い中央部分の上記中心は上記幾何中心から少なくとも３ｍｍ、かつ７ｍｍ未満だけずれている請求項１８記載のゴルフクラブヘッド。
【請求項２０】
上記厚い中央部分の上記中心は上記幾何中心から少なくとも４ｍｍ、かつ６ｍｍ未満だけずれている請求項１９記載のゴルフクラブヘッド。
【請求項２１】
上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる請求項１７記載のゴルフクラブヘッド。
【請求項２２】
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である請求項１７記載のゴルフクラブヘッド。
【請求項２３】
上記厚い中央部分は実質的に楕円形状であり、実質的に一定の厚さを有し、上記打撃フェースの上記幾何中心は上記主軸の中点に位置づけられ、上記厚い中央部分は上記打撃フェースの上記トウ側の方向に、上記幾何中心からずれている請求項１７記載のゴルフクラブヘッド。
【発明の詳細な説明】
【技術分野】
【０００１】
この技術は全般的にはゴルフクラブに関し、より具体的には、ゴルフクラブヘッドの幾何中心の回りに集められた改善されたスイートスポットを具備するゴルフクラブヘッドに関する。
【関連技術の説明】
【０００２】
ゴルフクラブデザインの競争の激しい業界において、距離および精度は、メタルウッド型のゴルフクラブの要請を規定するのに役立つ最も重要な性能要素のうちの２つである。いくらかの人は、ゴルフクラブの外見、感覚、および音響（ルック、フィール、およびサウンド）がゴルフクラブに関する見解に影響を与えると議論するかもしれないけれども、性能要素がゴルフクラブの望ましい条件を決定する上で重要な役割を担う点に反論はない。距離を最大化し、それでいて精度を維持するという性能要素はメタルウッド型のゴルフクラブヘッドにおいて一層支配的にさえなっている。ゴルフショットの正確性がどのような具体的なゴルフクラブにより得られる距離の利点をも凌駕するアイアン型ゴルフクラブヘッドと異なって、メタルウッド型ゴルフクラブヘッドは、ゴルファーがゴルフボールをできるだけより遠く、かつより真っ直ぐに打撃することができるように設計される。
【０００３】
メタルウッド型ゴルフクラブヘッドの正確性を維持しつつ距離を最大化するために、ゴルフクラブヘッドの幾何中心の近くでゴルフクラブヘッドにより打撃されたゴルフボールの距離を最大化するという目標を伴ってメタルウッド型ゴルフクラブは設計されてきた。ゴルフクラブヘッドの幾何中心は、固有の物理法則によれば、ゴルフボールおよびゴルフクラブヘッドの間のエネルギ損失を減少させて距離を最大化するゴルフショットを全般的に実現できるであろう。この値を定量化するために、合衆国ゴルフ協会（ＵＳＧＡ）は、ゴルフ業界と協力して、反発係数（ＣＯＲ）の計算、または特性時間（ＣＴ）の計算のような種々の方法を、ゴルフクラブと衝突した後のゴルフボールのリバウンド特性を定量化する手法として用意してきた。
【０００４】
米国特許第６，３９０，９３３号（Ｇａｌｌｏｗａｙ等、'９３３特許）は、反発係数が０．８４５より大きく、１１０マイル／時でゴルフボールに２０００回だけ衝突させた場合に耐えるゴルフクラブヘッドであって、３つの部品、フェース、ソール、およびクラウンから構成されて良いクラブヘッドを開示することによって、ゴルフクラブヘッドのＣＯＲを増加させる方法の１つを検討している。より具体的には、'９３３特許は、チタン材料から構成されて良く、体積が１７５立方センチメートルから４００立方センチメートルの範囲で、重量が１６５グラムから３００グラムの範囲で、打撃プレート表面面積が４．００平方インチから７．５０平方インチの範囲であって良いゴルフクラブヘッドを開示する。
【０００５】
距離に代わって精度に焦点を当てると、米国特許公開第２００４／０１１６２０２号（Ｌｉｎ、'２０２特許公開）が、ゴルフクラブヘッドの回りに複数の穴を具備して、クラブヘッドがゴルフボールに当たったときに、生成された振動波および音響波のほとんどが、これらの穴から消散し、もって打撃ゴルフボールの方向の精度を向上させるようにした、ゴルフクラブヘッドを開示することにより、ゴルフクラブヘッドの精度を向上させる方法を検討している。
【０００６】
しかしながら、より厳密に検討すると、メタルウッド型ゴルフクラブヘッドの精度を維持しつつ距離を最大化させる上での開発は、ゴルファーがゴルフボールをスイートスポットに打撃させることができるという事実を前提としている。平均的なゴルファーにとってゴルフボールをスイートスポットで一貫して打撃することは困難であろう。したがって、上述の性能要素に加えて、スイートスポットのサイズおよび位置を最適化し、もって、平均的なゴルファーがゴルフクラブヘッドの精度および距離を最大化する設計上の利点を享受できるようにすることも望まれるであろう。
【先行技術文献】
【特許文献】
【０００７】
【特許文献１】米国特許第６，３９０，９３３号明細書
【特許文献２】米国特許公開第２００４／０１１６２０２号明細書
【発明の開示】
【０００８】
ここで説明されるシステム、方法、および装置は革新的な複数の側面を伴い、これら側面のいずれか１つが、これら所望の属性を実現する上で不可欠というわけではなく、唯一それに帰結されるわけではない。有益な特徴のいくつかがここでまとめられる。ただし、特許請求の範囲を制約するものではない。
【０００９】
この技術の１つの側面は、いくつかのゴルフクラブヘッド構造が打撃フェースの幾何中心からずれたスイートスポットを生成するという認識である。したがって、スイートスポットを打撃フェースの幾何中心の周りに集中させながら革新的な特徴を採用できる改善されたゴルフクラブヘッド構造に対する要望がある。ここに開示される実施例は、ゴルフクラブヘッドの性能を改善するゴルフクラブヘッド構造を提供する。
【００１０】
この技術の１つの非制約的な実施例は、ゴルフクラブヘッドであって；打撃フェースと；クラウン部分およびソール部分を有する後方本体であって、上記クラウン部分が上記打撃フェースの上側部分に結合され、上記ソール部分が上記打撃フェースの下側部分に結合される、上記後方本体とを有し；上記打撃フェースは；ヒール側およびトウ側と；上記打撃フェースの表面に位置づけられた主軸であって、上記ヒール側から上記トウ側へ実質的に配向させられ、上記打撃フェース上に引かれた最も長い線である、上記主軸と；上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と；可変厚さプロフィールとを有し；上記可変厚さプロフィールは；厚い中央部分と；遷移部分と；薄い周囲部分とを有し；上記遷移部分は上記厚い中央部分を包囲し；上記薄い周囲部分は上記遷移部分を包囲し；上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ；上記厚い中央部分の上記中心は上記主軸と平行な軸に沿って上記打撃フェースの幾何中心からずれている上記ゴルフクラブヘッドを含む。
【００１１】
この技術の付加的な非制約的な実施例において、上記厚い中央部分の上記中心は上記打撃フェースの上記トウ側の方向に上記幾何中心から少なくとも２ｍｍずれている。
【００１２】
この技術の付加的な非制約的な実施例において、上記厚い中央部分の上記中心は上記打撃フェースの上記トウ側の方向に上記幾何中心から少なくとも３ｍｍ、かつ７ｍｍ未満だけずれている。
【００１３】
この技術の付加的な非制約的な実施例において、上記厚い中央部分の上記中心は上記打撃フェースの上記トウ側の方向に上記幾何中心から少なくとも４ｍｍ、かつ６ｍｍ未満だけずれている。
【００１４】
この技術の付加的な非制約的な実施例において、上記中央部分の上記中心から上記遷移部分の最もヒール側の部分までの距離Ｈは、上記中央部分の上記中心から上記遷移部分の最もトウ側の部分までの距離Ｇより少なくとも１ｍｍだけ長く、上記距離Ｈおよび上記距離Ｇはそれぞれ上記主軸と平行な軸に沿って測定される。
【００１５】
この技術の付加的な非制約的な実施例において、上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる。
【００１６】
この技術の付加的な非制約的な実施例において、｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である。
【００１７】
この技術の付加的な非制約的な実施例において、上記厚い中央部分は実質的に楕円形状であり、実質的に一定の厚さを有し、上記打撃フェースの上記幾何中心は上記主軸の中点に位置づけられる。
【００１８】
この技術の１つの非制約的な実施例は、ゴルフクラブヘッドであって；打撃フェースと；クラウン部分およびソール部分を有する後方本体であって、上記クラウン部分が上記打撃フェースの上側部分に結合され、上記ソール部分が上記打撃フェースの下側部分に結合される、上記後方本体とを有し；上記打撃フェースは；ヒール側およびトウ側と；上記打撃フェースの表面に位置づけられた主軸であって、上記ヒール側から上記トウ側へ実質的に配向させられ、上記打撃フェース上に引かれた最も長い線である、上記主軸と；上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と；可変厚さプロフィールとを有し；上記可変厚さプロフィールは；厚い中央部分と；遷移部分と；薄い周囲部分とを有し；上記遷移部分は上記厚い中央部分を包囲し；上記薄い周囲部分は上記遷移部分を包囲し；上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ；上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され；上記屈曲部は、上記主軸に平行な軸に沿って上記打撃フェースの幾何中心からずれ；上記厚い中央部分の上記中心は上記主軸と平行な軸に沿って上記打撃フェースの幾何中心から、上記屈曲部と実質的に同一の方向に、ずれている上記ゴルフクラブヘッドを含む。
【００１９】
この技術の付加的な非制約的な実施例において、上記屈曲部は中心を有し、上記屈曲部の上記中心は、上記主軸と平行な軸に沿って、上記屈曲部の最もヒール側の部分および上記屈曲部の最もトウ側の部分から等距離に位置づけられ、上記屈曲部の上記中心は上記ゴルフクラブヘッドの上記幾何中心から少なくとも２ｍｍだけずれ、上記打撃フェースの上記厚い中央部分の上記中心は上記ゴルフクラブの上記幾何中心から少なくとも２ｍｍだけずれている。
【００２０】
この技術の付加的な非制約的な実施例において、上記屈曲部の上記中心は上記幾何中心から少なくとも３ｍｍ、かつ７ｍｍ未満だけずれ、かつ、上記厚い中央部分の上記中心は上記幾何中心から少なくとも３ｍｍ、かつ７ｍｍ未満だけずれている。
【００２１】
この技術の付加的な非制約的な実施例において、上記屈曲部の上記中心および上記厚い中央部分の上記中心は上記主軸と平行な軸に沿って上記幾何中心から実質的に同一な方向にずれている。
【００２２】
この技術の付加的な非制約的な実施例において、上記屈曲部および上記厚い中央部分の双方は上記打撃フェースの上記トウ側の方向へずれている。
【００２３】
この技術の付加的な非制約的な実施例において、上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる。
【００２４】
この技術の付加的な非制約的な実施例において、｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である。
【００２５】
この技術の付加的な非制約的な実施例において、上記厚い中央部分は実質的に楕円形状であり、実質的に一定の厚さを有し、上記打撃フェースの上記幾何中心は上記主軸の中点に位置づけられる。
【００２６】
この技術の１つの非制約的な実施例は、ゴルフクラブヘッドであって；打撃フェースと；クラウン部分およびソール部分を有する後方本体であって、上記クラウン部分が上記打撃フェースの上側部分に結合され、上記ソール部分が上記打撃フェースの下側部分に結合される、上記後方本体とを有し；上記打撃フェースは；ヒール側およびトウ側と；上記打撃フェースの表面に位置づけられた主軸であって、上記ヒール側から上記トウ側へ実質的に配向させられ、上記打撃フェース上に引かれた最も長い線である、上記主軸と；上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と；可変厚さプロフィールとを有し；上記可変厚さプロフィールは；厚い中央部分と；遷移部分と；薄い周囲部分とを有し；上記遷移部分は上記厚い中央部分を包囲し；上記薄い周囲部分は上記遷移部分を包囲し；上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ；上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され；上記屈曲部は、上記打撃フェースの幾何中心からトウ方向のトウ部分と、上記幾何中心からヒール方向のヒール部分とを有し；上記屈曲部の上記トウ部分および上記屈曲部の上記ヒール部分はいずれかが反対の部分より柔軟であり；上記厚い中央部分の上記中心は上記主軸と平行な軸に沿って上記屈曲部のより柔軟な部分の方向に、ずれている上記ゴルフクラブヘッドを含む。
【００２７】
この技術の付加的な非制約的な実施例において、上記厚い中央部分の上記中心は上記幾何中心から少なくとも２ｍｍずれている。
【００２８】
この技術の付加的な非制約的な実施例において、上記厚い中央部分の上記中心は上記幾何中心から少なくとも３ｍｍ、かつ７ｍｍ未満だけずれている。
【００２９】
この技術の付加的な非制約的な実施例において、上記厚い中央部分の上記中心は上記幾何中心から少なくとも４ｍｍ、かつ６ｍｍ未満だけずれている。
【００３０】
この技術の付加的な非制約的な実施例において、上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる。
【００３１】
この技術の付加的な非制約的な実施例において、｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である。
【００３２】
この技術の付加的な非制約的な実施例において、上記厚い中央部分は実質的に楕円形状であり、実質的に一定の厚さを有し、上記打撃フェースの上記幾何中心は上記主軸の中点に位置づけられ、上記厚い中央部分は上記打撃フェースの上記トウ側の方向に、上記幾何中心からずれている。
【００３３】
添付図面は明細書の一部を構成しこれとともに理解されるべきである。しかしながら、図説の実施例は、単に、例であり、制約的であることを意図していない。種々の図面において類似の参照番号は類似の要素を示す。
【図面の簡単な説明】
【００３４】
【図１】この発明の１実施例のゴルフクラブヘッドの斜視図を示す。
【図２】ゴルフクラブヘッドの正面図を示す。
【図３】ゴルフクラブおよびゴルフボールの間のグラフィック表示を示す。
【図４】打撃フェースの幾何中心の近くに位置づけられたスイートスポットを具備するゴルフクラブヘッドの正面図を示す。
【図５】屈曲部を含むゴルフクラブヘッドの１実施例の側面図を示す。
【図６】屈曲部を含み、打撃フェースの幾何中心から離れたスイートスポットを含むゴルフクラブヘッドの正面図を示す。
【図７】可変厚さプロフィールを伴う打撃フェース、および屈曲部を含むゴルフクラブヘッドの１実施例の側面図を示す。
【図８】図７のゴルフクラブヘッドの内部幾何の正面図を示す。
【図９】打撃フェースの幾何中心に対する、可変フェース厚さプロフィールの各部の位置および屈曲部の位置に関して複数の関係を含む、図７のゴルフクラブの内部幾何の正面図を示す。
【発明を実施するための形態】
【００３５】
以下の詳細な説明において、添付図面が参照され、これはここでの開示の一部を構成する。詳細な説明、図面、および特許請求の範囲において説明される図説の実施例は、制限的なものを意味しない。ここで提示されるサブジェクトマターの趣旨または範囲から逸脱しない範囲で、他の実施例を採用して良く、他の変更をなして良い。この開示内容の側面は、全般的にここで説明され、各図において図説されるように、広く種々の異なる構成において、採用され、置換され、組み合わされ、また設計されて良く、これらは明瞭にこの開示の一部を構成すると理解される。例えば、システムまたは装置、または方法は、ここに開示された任意の数の側面を用いて実装され、または実施されて良い。さらに、そのようなシステム、または装置やそのような方法は、他の構成、機能を利用して実施されて良く、さらに、ここに開示された１または複数の側面に加えてそれ以外の構成、機能を利用して実施されて良い。ここで説明される、この発明の特徴の変更例および他の修正、並びに、ここで説明される、この発明の原理をさらなる応用は、この開示内容を元に当業者にもたらされ、この発明の範囲内であると考えられる。
【００３６】
実施例の外に、または、とくにことわらない限りは、すべての数の範囲、量、値およびパーセンテージ例えば明細書中の材料の量、慣性モーメント、重心位置、ロフトおよびドラフト角度、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３７】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３８】
この技術を説明するにあたって、以下の用語が用いられて良い。単数形（「ａ」、「ａｎ」、および「ｔｈｅ」）は、文脈において明瞭にそうでないと表示されない限り、複数形態を含む。そのため、例えば、１つの事項に関する説明は、１または複数の事項に関する説明を含む。用語「複数」（「ｐｌｕｒａｌｉｔｙ」）は２またはそれ以上の事項を含む。用語「実質的」（「ｓｕｂｓｔａｎｔｉａｌｌｙ」）は、指摘された、特徴、パラメータ、または値がちょうどである必要がなく、偏差または変動はこの特徴が実現しようと意図していた効果を排除しない範囲で起こって良いことを意味し、これら偏差または変動は、例えば、許容誤差、測定誤差、測定精度制約および当業者に知られている他の要素を含む。複数の事項は簡便のために共通のリストに提示されて良い。ただし、これらのリストでは、リストの構成要素の各々は別のユニークな要素として個別に特定されていると認識されるべきである。したがって、そのようなリストの個別の要素は、当該同一のリストの任意の他の要素の事実上の等価物と解釈すべきであり、これは、反対の表示がなされていないかぎり、共通のグループにおいてそれらが表示されていることのみから由来する。さらに、用語「および」（「ａｎｄ」）、および「または」（「ｏｒ」）が要素のリストと関連して使用される場合、これらは広く解釈されるべきであり、リストされた要素の任意の１つまたは複数が単独でまたは他のリストされた要素と組合わさって使用されて良いことを意味する。用語「代替的には」（「ａｌｔｒｎａｔｉｖｅｌｙ」）は２またはそれ以上の代替物から１つを選択することを意味し、それらリストされた要素の選択が一時にそれらリストさレア代替物のうちの唯一の１つに限定されることを意図しない。
【００３９】
この開示の特徴は、以下の説明および添付の特許請求の範囲から、添付の図面を参照して、より充分で明瞭なものになる。ここでの検討を考慮したのち、とくに「詳細な説明」のセクションを読んだ後、これら図説された特徴が、この開示のこれら所定の原理を説明するにあたりどのように役立つかを理解するであろう。
【００４０】
ここで説明される実施例は全般的には改善されたスイートスポットを具備するゴルフクラブに関する。より具体的には、いくつかの実施例はスイートスポットをゴルフクラブヘッドの幾何中心のまわりに集約するゴルフクラブヘッドの関する。
【００４１】
図１は、この発明の事例的な実施例に従うゴルフクラブヘッド１００の俯瞰図を示す。図１に示されるゴルフクラブヘッド１００は、一般的には、打撃フェース１０２、後方本体部分１０４、およびホーゼル１０５を具備して良い。後方本体部分１０４は一般的にはさらにクラウン部分１０６、ソール部分（図示しない）、およびスカート部分１１０からなっていて良い。クラウン部分１０６は一般的には打撃フェース１０２の上方部分に結合され、他方、ソール部分（図示しない）は一般的には打撃フェース１０２の下方部分に結合されて良い。スカート部分１１０は、現行の事例的な実施例において示されるように、一般的には、クラウン部分１０６およびソール部分（図示しない）の間に配されて、後方本体部分１０４を完成させて良い。
【００４２】
ゴルフクラブヘッド１００は、図１により図示する現行の事例的な実施例において示されるように、一般的には、Ｒ付けられた（ｒａｄｉｕｓｅｄ）遷移部分１１６を具備して良く、これは打撃フェース１０２の周囲を少なくとも包囲する。より具体的には、図１から理解できるように、Ｒ付けられた遷移部分１１２はさらにトウ側Ｒ付け遷移部分１１４およびヒール側Ｒ付け遷移部分１１６からなって良く、これらがそれぞれ打撃フェース１０２のトウおよびヒール部分の近くで打撃フェース１０２を包囲する。図１に示される現行の事例的な実施例はゴルフクラブヘッド１００のトウおよびヒール部分をカバーするＲ付け遷移部分１１２のみを示すけれども、Ｒ付け遷移部分１１２は、この発明の範囲および内容から逸脱しない範囲で、打撃フェース１０２の周囲を完全に包囲しても良いことに留意されたい。
【００４３】
図１において、打撃フェース１０２の表面面積は一般的には約３６００ｍｍ２より大きく、より好ましくは３７００ｍｍ２より大きく、最も好ましくは約３７５０ｍｍ２より大きくてよいことに留意されたい。さらに、Ｒ付け遷移部分１１２の表面面積は一般的には約８５０ｍｍ２より小さく、より好ましくは８２５ｍｍ２より小さく、最も好ましくは約８１０ｍｍ２より小さくてよい。最後に、ゴルフクラブヘッド１００の全体の表面面積は約３２０００ｍｍ２と約３５０００ｍｍ２の間である。上述の表面面積の値に関連して、打撃フェース１０２の表面面積のゴルフクラブヘッド１００の全体の総合面積に対する比を決定することが重要である。この打撃フェース表面面積比は一般的には約９％より大きく、より好ましくは約１０％より大きく、最も好ましくは約１１％より大きくて良い。代替的には、上述の表面面積はＲ付け遷移部分表面面積比をも決定する。このＲ付け遷移部分表面面積は一般的には約３．０％より小さく、より好ましくは、約２．７５％より小さく、最も好ましくは約２．５％より小さくて良い。
【００４４】
図２は、この発明の事例的な実施例に従うゴルフクラブヘッド２００の正面図を示す。このゴルフクラブヘッド２００の正面図は、打撃フェース２０２をより直接に示すことができ、これは打撃フェース２０２が顕著に楕円形であり、主軸２２０が顕著にヒールからトウの方向に走り、短軸が顕著にクラウンからソールに走ることを示す。この発明の事例的な実施例に従うゴルフクラブヘッド２００の打撃フェース２０２は一般的には約０．３３より大きく、より好ましくは約０．４１より大きく、最も好ましくは約０．５０の楕円ファクタを伴って良い。上に検討した楕円ファクタは下記の式１で定義されて良い。
楕円ファクタ＝短軸２２２の長さ／主軸２２０の長さ        式（１）
【００４５】
長軸の長さ２２０は一般的には打撃フェース２０２上に描くことができる最も長い線の距離として定義して良い。ここで図２に示す現行の事例的な実施例では、主軸２２０は顕著にはヒールからトウへの方向に伸びるけれど、主軸２２０は現行の配向から逸脱した任意の他の方向に方向づけられていても良い。ただし、それは、この発明の範囲および内容から逸脱することなく、打撃フェース２０２上に引くことができる最長の線を表す。短軸２２２は、現行の事例的な実施例において示されるように、一般的には、主軸２２０と直交して走り打撃フェース２０２を横切る線として定義されて良いが、打撃フェース２０２の幾何中心２０１を通る。いくつかの実施例において、打撃フェース２０２の幾何中心２０１は、短軸２２２の中点に位置づけられる。他の実施例において、打撃フェース２０２の幾何中心２０１は、ゴルフクラブヘッドの柔軟性を測定する手順、合衆国ゴルフ協会による、ＵＳＧＡ−ＴＰＸ３００４、バージョン１．０．０、２００８年５月１日によって概要が説明される衝突位置テンプレートによって決定される衝突スポットの中心によって定義される。
【００４６】
主軸２２０の長さは、現行の事例的な実施例において示されるように、一般的には、約１２０ｍｍ（ミリメータ）より短く、より好ましくは約１１０ｍｍより短く、最も好ましくは約１００ｍｍより短くて良い。他方、短軸２２２の長さは、現行の事例的な実施例において示されるように、一般的には、約４０ｍｍより長く、より好ましくは約４５ｍｍより長く、最も好ましくは約５０ｍｍより長くて良い。したがって、短軸２２２の長さを主軸２２０の長さで割ったときに、その結果としての楕円ファクタは先に検討した範囲となってよい。
【００４７】
図２に示すゴルフクラブヘッド２００の正面図は、ゴルフクラブヘッド２００の打撃フェース２０２が、ゴルフクラブヘッド２００を比較的フラットな位置に維持していても、どれくらい、より直立位置に傾いているかを示すのに役立つ。換言すれば、打撃フェース２０２の垂直短軸２２２は、一般的には、地面２２５に対して垂直な垂直軸２２３と比較したときに、角度θだけ傾斜して良い。角度θは、現行の事例的な実施例に示されるように、一般的には、約３．０度より大きく約１６．０度より小さく、より好ましくは、約３．０度より大きく約１２．０度より小さく、最も好ましくは、約３．０度より大きく約８．０度より小さくてよい。図２から理解できるように、ゴルフクラブヘッド２００の打撃フェース２０２の地面２２５に対する傾斜は、主軸２２０および短軸２２２を同一の程度だけ同一の方向に傾斜させる。他の見方をすれば、打撃フェース２０２の傾斜は、主軸２２０および短軸２２２を高トウから低ヒールの方向に、約３．０度より大きく約１６．０度より小さく、より好ましくは、約３．０度より大きく約１２．０度より小さく、最も好ましくは、約３．０度より大きく約８．０度より小さい角度だけ傾斜させることとしても定義できる。
【００４８】
ゴルフクラブヘッド２００の打撃フェース２０２の傾斜の背後にある理屈を理解するために図３を見ることは有益であり、これは、打撃フェース２０２に対するゴルファーの典型的衝突パターンを示し、グラフ上の点はゴルファーがゴルフクラブでゴルフボールを打撃するときの典型的な打撃位置を示す。Ｆ．Ｗｅｒｎｅｒ  ａｎｄ  Ｒ．Ｇｒｅｇ、Ｈｏｗ  Ｇｏｌｆ  Ｃｌｕｂｓ  Ｒｅａｌｌｙ  Ｗｏｒｋ  ａｎｄ  Ｈｏｗ  ｔｏ  Ｏｐｔｉｍｉｚｅ  Ｔｈｅｉｒ  Ｄｅｓｉｎｓ、Ｃｈ．  ４、ｐｐ．１７−２１（２０００）において報告されているように、ドライバークラブのフェース上のゴルフボール打撃の典型的な分散は、長軸が高トウから低ヒールの方向に方向づけられた楕円パターンに従い、これは図３に示される楕円パターンに合致する。図３に示される衝突パターンをより近くで調べると、衝撃パターンの主軸３２０が水平軸３２３に対して角度αを形成することがわかる。この角度αは一般的には図２に示されるゴルフクラブヘッド２００の打撃フェース２０２の傾斜角θに合致して良い。より具体的には、αは一般的には約３．０度より大きく約１６．０度より小さく、より好ましくは、約３．０度より大きく約１２．０度より小さく、最も好ましくは、約３．０度より大きく約８．０度より小さい。
【００４９】
図２に戻ると、図３に示される打撃パターンから、ゴルフクラブヘッド２００の打撃フェースを、衝撃パターンの傾斜角αに相当する角度θだけ傾斜させることが好ましいことがわかる。ゴルフクラブヘッド２００の打撃フェース２０２を傾斜させることより、主軸２２０および短軸２２２を傾斜させることになることがより重要である。上述の軸を傾斜させることにより、打撃フェース２０２が図３に示す典型的な打撃パターンとより整合するようにできるからである。
【００５０】
図４を参照すると、これは、この発明の実施例に従うゴルフクラブヘッドの他の正面図を示しており、ゴルフクラブヘッド４００が当該ゴルフクラブヘッド４００の打撃フェース４０２の幾何中心４０１の近くに配置されたスイートスポット４３０を具備するように示されていることがわかる。より具体的には、スイートスポット４３０は一般的にはゴルフクラブヘッド４００の打撃フェース４０２の幾何中心４０１と同心であってよい。この出願の内容において、スイートスポット４３０は、一般的には、ゴルフクラブヘッド４００により実現可能な最大ボール速度の少なくとも９９．７％を実現できる、すべての打撃フェース４０２のうちの領域として定義して良い。９９．７％の値は、スイートスポット４３０のサイズを決定する際に用いて妥当であろう。なぜならば、最大ボール速度の９９．７％を実現できるゴルフボールは、ゴルフクラブヘッド４００により実現できる最大ボール速度の１００％を実現する直接的な中央の打撃と比較したときに、約１／２マイル・パー・時間しか失わないからである。現行の事例的な実施例において示されるようにゴルフクラブヘッド４００により実現できる最大ボール速度は、一般的には、ゴルフクラブヘッド４００がどこでゴルフボールを打撃するかにかかわらず、ゴルフクラブヘッドにより実現できる最も大きなボール速度と関連するであろう。
【００５１】
いくつかの実施例において、ゴルフクラブヘッドは、ゴルフクラブヘッドの打撃フェースの幾何中心に対するスイートスポットの位置に影響を与える種々の特徴を含んで良い。このような特徴の例は、本出願人の出願に係る２０１３年１１月２５日提出のＧｏｌｄｅｎ等の米国特許出願第１４／０８９，５７４号の「屈曲部を具備するゴルフクラブ」に見いだすことができ、その内容は参照してここに組み入れる。図５に示すように、屈曲部５３６、５３８は、スイートスポットを打撃フェースの幾何中心から遠ざかるように移動させることができる特徴の例である。屈曲部５３６、５３８は一般的にはクラウン、ソール、および／またはスカートの前方部分に形成される。屈曲部５３６は、全般的にはヒールからトウ方向に伸びソールの前方部分に形成される長尺の波形状である。屈曲部５３８は、クラウンの前方部分に形成される。屈曲部５３６、５３８は、全般的には、前後方向に柔軟であり、打撃フェース５０２から離間してクラブヘッド５００の柔軟部分を実現して、打撃フェースがゴルフボールと衝突するときに、衝突点に近い位置での屈曲に加えて、打撃フェース５０２の一部がユニットとして往復動し回転するようにしている。屈曲部５３６、５３８は、打撃フェース５０２およびゴルフボールの間の中心からずれた衝突のみでなく、中心フェースのゴルフボールとの衝突に対する改善した性能を実現できる。
【００５２】
図６は、ソール部分６０８の前方部分に形成されて屈曲部６３６を図説する。屈曲部６３６は、全般的には、打撃フェース６０２の幾何中心からトウ方向に伸び、これはヒール方向より伸びている。トウにバイアスされた屈曲部６３６のようなゴルフクラブヘッドの特徴は、ゴルフクラブヘッドの剛性に非対称的に影響を与え、これによって打撃フェース上のスイートスポット６３０の位置に影響を与えることができる。図６は、屈曲部６３６がどのようにスイートスポット６３０を打撃フェース６０２の幾何中心６０１からトウ方向に移動させるかを説明する。ゴルフクラブヘッドのデザインにおける他の構造、特徴、または非対称性も、スイートスポット６３０を、ゴルフクラブヘッド６００の幾何中心６０１から移動させることができる。
【００５３】
先に検討したように、スイートスポットを打撃フェースの幾何中心に位置づけることが好ましく、これは図４に図説するとおりである。図７は、この発明の事例的な実施例に従うゴルフクラブヘッド７００を示し、これは可変フェース厚さプロフィール７４０を伴う打撃フェース７０２を具備する。ゴルフクラブヘッド７００は、図７に図説されるように、打撃フェース７０２の背後に可変フェース厚さプロフィール７４０を伴う打撃フェース７０２を具備して良い。より具体的には、可変フェース厚さプロフィール７４０は、事例的な実施例に示すように、全般的には、遷移部分７４３によって包囲された厚い中央部分７４２を有してよく、そして、この遷移部分７４３が薄い周囲部分７４４に包囲される。ゴルフクラブヘッド７００の打撃フェース７０２は、ゴルフボールを打撃するときにトランポリンのように変形するので、可変フェース厚さプロフィールを伴うと、打撃フェース７０２の薄い周囲部分７４４を、トランポリン効果を実現するのに充分な程度に薄くでき、それでいて、可変フェース厚さプロフィール７４０の厚い中央部分７４２はゴルフボールとの衝突に関連する応力に耐えるのに充分な厚さを実現できる。アール面取りされた（ｒａｄｉｕｓｅｄ）遷移部分１１２（図１に示す）はゴルフクラブヘッド７００の打撃フェース７０２に付加的な構造剛性を付与できるので、ゴルフクラブヘッドの打撃フェース７０２をより薄くでき、さらに大きなスイートスポットを形成する。より具体的には、構造上の剛性が増大したので、薄い周囲部分７４４の厚さを約３．００ｍｍの厚さより小さくでき、より好ましくは約２．９ｍｍの厚さより小さく、最も好ましくは約２．８ｍｍの厚さより小さくできる。可変フェース厚さを採用してゴルフクラブヘッドの性能を改善することについては米国特許第７，０２９，４０３号（Ｒｉｃｅ等）においてより詳細な開示を見い出すことができ、その内容は参照してここに組み入れる。
【００５４】
図７も屈曲部７３６を図説する。屈曲部７３６は、打撃フェース７０２から離間している。屈曲部７３６は前面壁７７１、背面壁７７２、および頂部７７３を含む。前面壁７７１および背面壁７７２は双方ともゴルフクラブヘッド７００の内側に伸びる。前面壁７７１および背面壁７７２は頂部７７３で結合される。
【００５５】
図８は可変フェース厚さプロフィール７４０を伴う図７のゴルフクラブヘッドの内部幾何の正面図を示す。図８は、厚い中央部分７４２、遷移部分７４３、および薄い周囲部分７４４の相対的な寸法および位置を示す。より具体的には、図８は、打撃フェース７０２の幾何中心７０１からずれた厚い中央部分７４２を示す。図６において先に検討し図説したように、屈曲部６３６のような種々のゴルフクラブヘッド構造または特徴が、打撃フェースの幾何中心６０１に中心合わせされていないスイートスポット６３０を形成できる。図８に図説されるように、打撃フェース７０２が、厚い中央部分７４２がゴルフクラブヘッド７００のトウ方向にずれている可変フェース厚さプロフィール７４０を組み込んでいるので、スイートスポットを打撃フェース７０２の幾何中心７０１の回りに集中させることができる。他の実施例において、厚い中央部分７４２はゴルフクラブヘッド７００のヒール方向にずれて良い。いくつかの実施例において、厚い中央部分７４２は屈曲部７３６と同じ方向にずれており、これは図８に図説するとおりである。厚い中央部分７４２を打撃フェース７０２の幾何中心７０１からずれた位置に位置づけることにより、スイートスポットを、図６に図説するようなあまり理想的でない位置から図４に図説するような打撃フェース７０２の幾何中心７０１の回りに集中させられたより理想的な位置に移動させることができ、これは、ゴルフクラブヘッド７００が、屈曲部７３６のような、そうでなければスイートスポットを幾何中心７０１からずらしてしまう場合もそうであり、これは図７および図８に図説するとおりである。
【００５６】
図９は、ゴルフクラブヘッド７００の内部幾何の正面図を図９から模写したものであり、可変フェース厚さプロフィール７４０の各部分および屈曲部７３６の打撃フェース７０２の幾何中心７０１に対する位置に関する複数の関係を含んでこの発明の種々の実施例をさらに説明する。図６において先に検討し図説するように、屈曲部のような、種々のゴルフクラブヘッド構造または特徴が打撃フェース６０２の屈曲特性を修正でき、打撃フェースの幾何中心に中心合わせされていないスイートスポット６３０を形成できる。図９は、１実施例において、屈曲部７３６または他のゴルフクラブヘッド特徴が、ゴルフクラブヘッド７００のヒールではなくトウの方向にさらに伸びることが可能であることを示す。
【００５７】
図９に図説するように、屈曲部７３６の中心７３７はＸで表示され、距離Ａだけゴルフクラブヘッドのトウ方向に幾何中心７０１からずれている。距離Ａは、以下に説明する距離Ｂ〜Ｈとともに、図２に図説され先に検討した主軸２２０に平行な軸に沿って測定される。屈曲部７３６の中心７３７は、屈曲部７３６の最もトウ側の部分と屈曲部７３６の最もヒール側の部分と実質的に等距離に位置づけられる。したがって、屈曲部７３６の中心７３７は距離Ｂと、これに等しい距離Ｃとによって定義され、ここで、距離Ｂは中心７３７と屈曲部７３６の最もトウ側の部分との間の距離であり、距離Ｃは中心７３７と屈曲部７３６の最もヒール側の部分との間の距離である。いくつかの実施例において、図９に図説するように、屈曲部７３６の中心７３７はクラブヘッドの幾何中心から距離Ａだけずれている。
【００５８】
いくつかの実施例において、距離Ａは０．２５ｍｍおよび１５ｍｍの間であってよい。いくつかの実施例において、距離Ａは１ｍｍおよび１０ｍｍの間であってよい。いくつかの実施例において、距離Ａは２ｍｍおよび８ｍｍの間であってよい。いくつかの実施例において、距離Ａは３ｍｍおよび７ｍｍの間であってよい。いくつかの実施例において、距離Ａは４ｍｍおよび６ｍｍの間であってよい。いくつかの実施例において、距離Ａは１ｍｍより大きくてよい。いくつかの実施例において、距離Ａは２ｍｍより大きくてよい。いくつかの実施例において、距離Ａは３ｍｍより大きくてよい。いくつかの実施例において、距離Ａは４ｍｍより大きくてよい。いくつかの実施例において、距離Ａは５ｍｍより大きくてよい。
【００５９】
図８および図９との関係でさきに検討したように、厚い中央部分７４２は打撃フェース７０２の幾何中心７０１からずれていて良い。図９は、厚い中央部分７４２の中心７４１を図説し、これをＸで示し、これはゴルフクラブヘッド７００のトウの方向に打撃フェース７０２の幾何中心７０１から距離Ｄだけずれている。厚い中央部分７４２の中心７４１は、厚い中央部分７４２の最もトウ側の部分と厚い中央部分７４２の最もヒール側の部分と実質的に等距離に位置づけられる。したがって、厚い中央部分７４２の中心７４１は距離Ｅと、これに等しい距離Ｆとによって定義され、ここで、距離Ｅは中心７４１と厚い中央部分７４２の最もトウ側の部分との間の距離であり、距離Ｆは中心７４１と厚い中央部分７４２の最もヒール側の部分との間の距離である。いくつかの実施例において、図８および図９に図説するように、ゴルフクラブヘッドは、中心７３７をトウ方向にずらした屈曲部７３６、並びに、中心７４１をトウ方向にずらした厚い中央部分７４２を有して良い。いくつかの実施例において、厚い中央部分７４２の中心７４１は幾何中心７０１から距離Ｄだけずれて良く、これは実質的距離Ａと類似であり、距離Ａは屈曲部７３６の中心７３７が幾何中心７０１からずれている距離である。
【００６０】
いくつかの実施例において、距離Ｄは０．２５ｍｍおよび１５ｍｍの間であってよい。いくつかの実施例において、距離Ｄは１ｍｍおよび１０ｍｍの間であってよい。いくつかの実施例において、距離Ｄは２ｍｍおよび８ｍｍの間であってよい。いくつかの実施例において、距離Ｄは３ｍｍおよび７ｍｍの間であってよい。いくつかの実施例において、距離Ｄは４ｍｍおよび６ｍｍの間であってよい。いくつかの実施例において、距離Ｄは１ｍｍより大きくてよい。いくつかの実施例において、距離Ｄは２ｍｍより大きくてよい。いくつかの実施例において、距離Ｄは３ｍｍより大きくてよい。いくつかの実施例において、距離Ｄは４ｍｍより大きくてよい。いくつかの実施例において、距離Ｄは５ｍｍより大きくてよい。
【００６１】
図９において先に検討し図説したように、可変厚さプロフィール７４０は、厚い中央部分７４２に加えて、遷移部分７４３、および薄い周囲部分７４４も含む。いくつかの実施例において、遷移部分７４３は、実質的に、厚い中央部分７４２に関して中心付けられ、ここで、距離Ｇは、遷移部分の最もトウ側の部分から厚い中央部分７４２の中心７４１までの距離を表し、距離Ｈは、遷移部分の最もヒール側の部分から厚い中央部分７４２の中心７４１までの距離を表し、ここで、距離Ｇは距離Ｈと実質的に等しい。いくつかの実施例において、距離Ｇおよび距離Ｈは各々約１５ｍｍおよび３０ｍｍの間である。いくつかの実施例において、距離Ｇおよび距離Ｈは各々約２０ｍｍおよび２５ｍｍの間である。いくつかの実施例において、距離Ｇおよび距離Ｈは各々約２２ｍｍおよび２４ｍｍの間である。他の実施例において、遷移部分７４３は厚い中央部分７４２に対して中心付けられていなくて良く、距離Ｇは距離Ｈと等しくなくて良い。いくつかの実施例において、遷移部分７４３は厚い中央部分７４２からヒール方向にずれて良く、この場合、距離Ｈは距離Ｇより大きい。いくつかの実施例において、距離Ｈは少なくとも１ｍｍだけ距離Ｇより大きい。いくつかの実施例において、距離Ｈは少なくとも２ｍｍだけ距離Ｇより大きい。いくつかの実施例において、距離Ｇは少なくとも１ｍｍだけ距離Ｈより大きい。いくつかの実施例において、距離Ｇは少なくとも２ｍｍだけ距離Ｈより大きい。
【００６２】
いくつかの実施例において、屈曲部７３６の中心７３７は打撃フェース７０２の幾何中心からずれていなくて良いけれども、依然として非対称な剛性特性を実現してスイートスポットを幾何中心７０１から移動させる。非対称な剛性特性は、複数の構造により達成でき、これは、例えば、非対称なサイズ比率、非対称な厚さ、非対称な曲率、ホーゼル構造、非対称なリブ等を含む。したがって、いくつかの実施例において、ゴルフクラブヘッド７０１は、中心７４１を幾何中心７０１からずらしていない屈曲部７３６、並びに、中心７４１を幾何中心７０１からずらした厚い中央部分７４２を含んで良い。他の実施例において、厚い中央部分７４２の中心７４１がヒール方向にずれて良い。いくつかの実施例において、厚い中央部分７４２の中心７４１は、屈曲部７３６や他のゴルフクラブン特徴のより柔軟な部分を含む、ゴルフクラブヘッドの部分へとずれて良い。
【００６３】
打撃フェースの特性を測定する１つの方法は特性時間（ＣＴ）である。ＣＴの測定は、合衆国ゴルフ協会による、ゴルフクラブヘッドの柔軟性を測定する手順、ＵＳＧＡ−ＴＰＸ３００４、改訂１．０．０、２００８年５月１日において概要が説明されている。ＣＴは、ゴルフクラブヘッド７００の打撃フェース７０２上の種々の位置で測定できる。ＣＴは打撃フェース７０２の幾何中心７０１で測定できる（ＣＴＣｅｎｔｅｒ）。ＣＴは打撃フェース７０２の幾何中心７０１からずれた位置、例えば、主軸に平行な軸に沿って幾何中心７０２からトウ方向に０．５インチずれた点（ＣＴＴｏｅ−０．５"）、または、主軸に平行な軸に沿って幾何中心７０２からトウ方向に０．５インチずれた点（ＣＴＨｅｅｌ−０．５"）で測定できる。いくつかの実施例において、ゴルフクラブヘッド７００は｜（ＣＴＴｏｅ−０．５"／ＣＴＣｅｎｔｅｒ）−１｜＜＝０．０６のＣＴ関係を有して良い。いくつかの実施例において、ゴルフクラブヘッド７００は｜（ＣＴＨｅｅｌ−０．５"／ＣＴＣｅｎｔｅｒ）−１｜＜＝０．０６のＣＴ関係を有して良い。
【００６４】
例えば、ゴルフクラブヘッドの１実施例では、ＣＴＣｅｎｔｅｒは２３５で、ＣＴＴｏｅ−０．５"は２４７で、ＣＴＨｅｅｌ−０．５"は２３４である。（ＣＴＴｏｅ−０．５"／ＣＴＣｅｎｔｅｒ）−１の絶対値は０．０５１０６４と等しく、これは｜（ＣＴＴｏｅ−０．５"／ＣＴＣｅｎｔｅｒ）−１｜＜＝０．０６を満たす。また、（ＣＴＨｅｅｌ−０．５"／ＣＴＣｅｎｔｅｒ）−１の絶対値は０．０１２７６６と等しく、これは｜（ＣＴＨｅｅｌ−０．５"／ＣＴＣｅｎｔｅｒ）−１｜＜＝０．０６を満たす。他の実施例において、ゴルフクラブヘッド７００は｜（ＣＴＴｏｅ−０．５"／ＣＴＣｅｎｔｅｒ）−１｜＜＝０．０５のＣＴ関係を有して良い。他の実施例において、ゴルフクラブヘッド７００は｜（ＣＴＨｅｅｌ−０．５"／ＣＴＣｅｎｔｅｒ）−１｜＜＝０．０５のＣＴ関係を有して良い。他の実施例において、ゴルフクラブヘッド７００は｜（ＣＴＴｏｅ−０．５"／ＣＴＣｅｎｔｅｒ）−１｜＜＝０．０４のＣＴ関係を有して良い。他の実施例において、ゴルフクラブヘッド７００は｜（ＣＴＨｅｅｌ−０．５"／ＣＴＣｅｎｔｅｒ）−１｜＜＝０．０４のＣＴ関係を有して良い。他の実施例において、ゴルフクラブヘッド７００は｜（ＣＴＴｏｅ−０．５"／ＣＴＣｅｎｔｅｒ）−１｜＜＝０．０３のＣＴ関係を有して良い。他の実施例において、ゴルフクラブヘッド７００は｜（ＣＴＨｅｅｌ−０．５"／ＣＴＣｅｎｔｅｒ）−１｜＜＝０．０３のＣＴ関係を有して良い。
【００６５】
屈曲部は、ゴルフクラブヘッドがゴルフボールに衝突するときのゴルフクラブヘッドの屈曲特性を変更する唯一のゴルフクラブ特徴ではないことに留意することは重要である。他の特徴は、例えが、壁厚さ、曲率、リブ、ウエイトポート、ホーゼル構造等を含んで良く、これがゴルフクラブヘッドの剛性に非対称な影響を与え、ゴルフクラブヘッドの打撃フェース上のスイートスポットの位置に影響を与えることができる。ここで検討した、可変厚さプロフィール並びに移動された厚い中央部分の種々の実施例は、ここで検討した屈曲部の加えて、複数のゴルフクラブヘッド特徴と組み合わせて採用して良い。
【００６６】
他の実施例において、ゴルフクラブヘッドは一体に組み合わされてゴルフクラブヘッドを形成する複数の部品から形成されて良い。いくつかの実施例において、ソール部分および打撃フェースは１つの一体の部品から、スーパープラスチックフォーミング（超塑性成形加工）と呼ばれる手法を採用して形成できる。スーパープラスチックフォーミングは、高温で実施され、ときどき真空で実施され、フォーミングプロセスで材料を慣用的な場合に較べて大きく伸長させることができる。このプロセスは治乱材料を処理する上の特に魅力的である。いくつかの実施例において、変形の間、材料の表面に物理的な金型を接触させるのでなく、雌金型に代えて圧縮ガスを採用して部品を形成する。圧縮ガスはより均一な力を印加でき、それでいて、材料に穴を形成する局所摩擦を最小化できる。スーパープラスチックフォーミングによってより複雑な幾何形状を形成できる。また、スーパープラスチックフォーミングによって、スプリングバックが少なくでき、またはなくすことができ、より正確な製造を支援できる。さらに、成型された材料と異なり、スーパープラスチックフォーミングにより形成されたソールおよび打撃フェースは、表面にアルファケースすなわち酸素が存在せず、表面欠陥を最小化し、平滑な表面を形成し、応力クラックの連鎖を最小化できる。いくつかの実施例において、先に検討した、屈曲部のような種々の特徴、並びに、可変厚さプロフィールはスーパープラスチックフォーミングを用いて製造でき、これは例えば打撃フェース、ソール、屈曲部、および可変厚さプロフィールを含む。
【００６７】
この技術を説明するにあたり、別々の実施例の文脈で説明される所定の複数の特徴は、単一の実施例においてコンビネーションとしても実装できる。逆に、単一の実施例の文脈で説明される種々の特徴が、複数の実施例で個別に実装でき、また任意の適切なサブコンビネーションで実装できる。さらに、複数の特徴は所定のコンビネーションにおいて実施するように先に説明したかもしれず、またそのように、当初、特許請求の範囲に記載したかもしれないが、そのように記載されたコンビネーションから、１または複数の特徴をある場合にはそのコンビネーションから除去して良く、そのようなクレームのコンビネーションはサブコンビネーションまたはサブコンビネーションの変形に向けられて良い。
【００６８】
この開示において説明した実施態様の種々の変形が当業者には明らかであり、ここに定義される包括的な原理はこの開示の趣旨または範囲から逸脱することなしに他の実施対応に適応されて良い。特許請求の範囲は、ここに示される実施態様に限定されることを意図せず、この開示、ならびにここに開示された原理および新規な特徴と合致する最も広い範囲のものに準拠すべきである。
【符号の説明】
【００６９】
７００    ゴルフクラブヘッド
７０１    幾何中心
７０２    打撃フェース
７３６    屈曲部
７３７    屈曲部の中心
７４０    可変フェース厚さプロフィール
７４１    中央部分の中心
７４２    中央部分
７４３    遷移部分
７４４    周囲部分
【図１】
2016064120.tif 000003
【図２】
2016064120.tif 000004
【図３】
2016064120.tif 000005
【図４】
2016064120.tif 000006
【図５】
2016064120.tif 000007
【図６】
2016064120.tif 000008
【図７】
2016064120.tif 000009
【図８】
2016064120.tif 000010
【図９】
2016064120.tif 000011
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記厚い中央部分の上記中心は上記主軸と平行な軸に沿って上記打撃フェースの幾何中心からずれていることを特徴とするゴルフクラブヘッド。
【請求項２】
上記厚い中央部分の上記中心は上記打撃フェースの上記トウ側の方向に上記幾何中心から少なくとも２ｍｍずれている請求項１記載のゴルフクラブヘッド。
【請求項３】
上記中央部分の上記中心から上記遷移部分の最もヒール側の部分までの距離Ｈは、上記中央部分の上記中心から上記遷移部分の最もトウ側の部分までの距離Ｇより少なくとも１ｍｍだけ長く、上記距離Ｈおよび上記距離Ｇはそれぞれ上記主軸と平行な軸に沿って測定される請求項２記載のゴルフクラブヘッド。
【請求項４】
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である請求項１記載のゴルフクラブヘッド。
【請求項５】
上記厚い中央部分は実質的に楕円形状であり、実質的に一定の厚さを有し、上記打撃フェースの上記幾何中心は上記主軸の中点に位置づけられる請求項１〜４のいずれかに記載のゴルフクラブヘッド。
【請求項６】
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され、
上記屈曲部は、上記主軸に平行な軸に沿って上記打撃フェースの幾何中心からずれ、
上記厚い中央部分の上記中心は上記主軸と平行な軸に沿って上記打撃フェースの幾何中心から、上記屈曲部と実質的に同一の方向に、ずれていることを特徴とするゴルフクラブヘッド。
【請求項７】
上記屈曲部は中心を有し、上記屈曲部の上記中心は、上記主軸と平行な軸に沿って、上記屈曲部の最もヒール側の部分および上記屈曲部の最もトウ側の部分から等距離に位置づけられ、上記屈曲部の上記中心は上記打撃フェースの上記幾何中心から少なくとも２ｍｍだけずれ、上記打撃フェースの上記厚い中央部分の上記中心は上記打撃フェースの上記幾何中心から少なくとも２ｍｍだけずれている請求項６記載のゴルフクラブヘッド。
【請求項８】
上記屈曲部の上記中心および上記厚い中央部分の上記中心は上記主軸と平行な軸に沿って上記幾何中心から実質的に同一な方向にずれている請求項７記載のゴルフクラブヘッド。
【請求項９】
上記屈曲部および上記厚い中央部分の双方は上記打撃フェースの上記トウ側の方向へずれている請求項６記載のゴルフクラブヘッド。
【請求項１０】
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である請求項６記載のゴルフクラブヘッド。
【請求項１１】
上記厚い中央部分は実質的に楕円形状であり、実質的に一定の厚さを有し、上記打撃フェースの上記幾何中心は上記主軸の中点に位置づけられる請求項６〜１０のいずれかに記載のゴルフクラブヘッド。
【請求項１２】
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され、
上記屈曲部は、上記打撃フェースの幾何中心からトウ方向のトウ部分と、上記幾何中心からヒール方向のヒール部分とを有し、
上記屈曲部の上記トウ部分および上記屈曲部の上記ヒール部分はいずれかが反対の部分より柔軟であり、
上記厚い中央部分の上記中心は上記主軸と平行な軸に沿って上記屈曲部のより柔軟な部分の方向に、ずれていることを特徴とするゴルフクラブヘッド。
【請求項１３】
上記厚い中央部分の上記中心は上記幾何中心から少なくとも２ｍｍずれている請求項１２記載のゴルフクラブヘッド。
【請求項１４】
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である請求項１２記載のゴルフクラブヘッド。
【請求項１５】
上記厚い中央部分は実質的に楕円形状であり、実質的に一定の厚さを有し、上記打撃フェースの上記幾何中心は上記主軸の中点に位置づけられ、上記厚い中央部分は上記打撃フェースの上記トウ側の方向に、上記幾何中心からずれている請求項１２〜１４のいずれかに記載のゴルフクラブヘッド。
【手続補正２】
【補正対象書類名】明細書
【補正対象項目名】００１９
【補正方法】変更
【補正の内容】
【００１９】
この技術の付加的な非制約的な実施例において、上記屈曲部は中心を有し、上記屈曲部の上記中心は、上記主軸と平行な軸に沿って、上記屈曲部の最もヒール側の部分および上記屈曲部の最もトウ側の部分から等距離に位置づけられ、上記屈曲部の上記中心は上記打撃フェースの上記幾何中心から少なくとも２ｍｍだけずれ、上記打撃フェースの上記厚い中央部分の上記中心は上記打撃フェースの上記幾何中心から少なくとも２ｍｍだけずれている。
【手続補正３】
【補正対象書類名】明細書
【補正対象項目名】００６８
【補正方法】変更
【補正の内容】
【００６８】
この開示において説明した実施態様の種々の変形が当業者には明らかであり、ここに定義される包括的な原理はこの開示の趣旨または範囲から逸脱することなしに他の実施態様に適応されて良い。特許請求の範囲は、ここに示される実施態様に限定されることを意図せず、この開示、ならびにここに開示された原理および新規な特徴と合致する最も広い範囲のものに準拠すべきである。
以下、ここで開示した技術的特徴を列挙する。
［技術的特徴１］
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記厚い中央部分の上記中心は上記主軸と平行な軸に沿って上記打撃フェースの幾何中心からずれていることを特徴とするゴルフクラブヘッド。
［技術的特徴２］
上記厚い中央部分の上記中心は上記打撃フェースの上記トウ側の方向に上記幾何中心から少なくとも２ｍｍずれている技術的特徴１記載のゴルフクラブヘッド。
［技術的特徴３］
上記厚い中央部分の上記中心は上記打撃フェースの上記トウ側の方向に上記幾何中心から少なくとも３ｍｍ、かつ７ｍｍ未満だけずれている技術的特徴２記載のゴルフクラブヘッド。
［技術的特徴４］
上記厚い中央部分の上記中心は上記打撃フェースの上記トウ側の方向に上記幾何中心から少なくとも４ｍｍ、かつ６ｍｍ未満だけずれている技術的特徴３記載のゴルフクラブヘッド。
［技術的特徴５］
上記中央部分の上記中心から上記遷移部分の最もヒール側の部分までの距離Ｈは、上記中央部分の上記中心から上記遷移部分の最もトウ側の部分までの距離Ｇより少なくとも１ｍｍだけ長く、上記距離Ｈおよび上記距離Ｇはそれぞれ上記主軸と平行な軸に沿って測定される技術的特徴２記載のゴルフクラブヘッド。
［技術的特徴６］
上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる技術的特徴１記載のゴルフクラブヘッド。
［技術的特徴７］
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である技術的特徴１記載のゴルフクラブヘッド。
［技術的特徴８］
上記厚い中央部分は実質的に楕円形状であり、実質的に一定の厚さを有し、上記打撃フェースの上記幾何中心は上記主軸の中点に位置づけられる技術的特徴１記載のゴルフクラブヘッド。
［技術的特徴９］
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され、
上記屈曲部は、上記主軸に平行な軸に沿って上記打撃フェースの幾何中心からずれ、
上記厚い中央部分の上記中心は上記主軸と平行な軸に沿って上記打撃フェースの幾何中心から、上記屈曲部と実質的に同一の方向に、ずれていることを特徴とするゴルフクラブヘッド。
［技術的特徴１０］
上記屈曲部は中心を有し、上記屈曲部の上記中心は、上記主軸と平行な軸に沿って、上記屈曲部の最もヒール側の部分および上記屈曲部の最もトウ側の部分から等距離に位置づけられ、上記屈曲部の上記中心は上記打撃フェースの上記幾何中心から少なくとも２ｍｍだけずれ、上記打撃フェースの上記厚い中央部分の上記中心は上記打撃フェースの上記幾何中心から少なくとも２ｍｍだけずれている技術的特徴９記載のゴルフクラブヘッド。
［技術的特徴１１］
上記屈曲部の上記中心は上記幾何中心から少なくとも３ｍｍ、かつ７ｍｍ未満だけずれ、かつ、上記厚い中央部分の上記中心は上記幾何中心から少なくとも３ｍｍ、かつ７ｍｍ未満だけずれている技術的特徴１０記載のゴルフクラブヘッド。
［技術的特徴１２］
上記屈曲部の上記中心および上記厚い中央部分の上記中心は上記主軸と平行な軸に沿って上記幾何中心から実質的に同一な方向にずれている技術的特徴１０記載のゴルフクラブヘッド。
［技術的特徴１３］
上記屈曲部および上記厚い中央部分の双方は上記打撃フェースの上記トウ側の方向へずれている技術的特徴９記載のゴルフクラブヘッド。
［技術的特徴１４］
上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる技術的特徴９記載のゴルフクラブヘッド。
［技術的特徴１５］
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である技術的特徴９記載のゴルフクラブヘッド。
［技術的特徴１６］
上記厚い中央部分は実質的に楕円形状であり、実質的に一定の厚さを有し、上記打撃フェースの上記幾何中心は上記主軸の中点に位置づけられる技術的特徴９記載のゴルフクラブヘッド。
［技術的特徴１７］
ゴルフクラブヘッドであって、
打撃フェースと、
クラウン部分およびソール部分を有する後方本体であって、上記クラウン部分が上記打撃フェースの上側部分に結合され、上記ソール部分が上記打撃フェースの下側部分に結合される、上記後方本体とを有し、
上記打撃フェースは、
ヒール側およびトウ側と、
上記打撃フェースの表面に位置づけられた主軸であって、上記ヒール側から上記トウ側へ実質的に配向させられ、上記打撃フェース上に引かれた最も長い線である、上記主軸と、
上記打撃フェースの表面に位置づけられ短軸であって、上記クラウン部分から上記ソール部分へ実質的に配向させられ、上記打撃フェース上に引かれた、上記主軸と直角で、最も長い線である、上記短軸と、
可変厚さプロフィールとを有し、
上記可変厚さプロフィールは、
厚い中央部分と、
遷移部分と、
薄い周囲部分とを有し、
上記遷移部分は上記厚い中央部分を包囲し、
上記薄い周囲部分は上記遷移部分を包囲し、
上記厚い中央部分は、中心を有し、上記厚い中央部分の上記中心は、上記主軸と平行な軸に沿って、上記厚い中央部分の最もヒール側の部分と上記厚い中央部分の最もトウ側の部分と等距離に位置づけられ、
上記ソール部分は上記打撃フェースから離間している屈曲部をさらに有し、上記屈曲部は前面壁、頂部、および背面壁を有し、上記前面壁および上記背面壁の双方は上記ゴルフクラブヘッドの内部に伸び、上記前面壁および上記背面壁は上記頂部で連結され、
上記屈曲部は、上記打撃フェースの幾何中心からトウ方向のトウ部分と、上記幾何中心からヒール方向のヒール部分とを有し、
上記屈曲部の上記トウ部分および上記屈曲部の上記ヒール部分はいずれかが反対の部分より柔軟であり、
上記厚い中央部分の上記中心は上記主軸と平行な軸に沿って上記屈曲部のより柔軟な部分の方向に、ずれていることを特徴とするゴルフクラブヘッド。
［技術的特徴１８］
上記厚い中央部分の上記中心は上記幾何中心から少なくとも２ｍｍずれている技術的特徴１７記載のゴルフクラブヘッド。
［技術的特徴１９］
上記厚い中央部分の上記中心は上記幾何中心から少なくとも３ｍｍ、かつ７ｍｍ未満だけずれている技術的特徴１８記載のゴルフクラブヘッド。
［技術的特徴２０］
上記厚い中央部分の上記中心は上記幾何中心から少なくとも４ｍｍ、かつ６ｍｍ未満だけずれている技術的特徴１９記載のゴルフクラブヘッド。
［技術的特徴２１］
上記打撃フェースはスイートスポットを有し、上記スイートスポットは、ゴルフボールが上記打撃フェースを打撃したときに達成される最大達成ボール速度の少なくとも９９．７％の速度を形成できる、上記打撃フェースの部分として定義され、上記スイートスポットは上記打撃フェースの上記幾何中心の回りに実質的に中心付けられる技術的特徴１７記載のゴルフクラブヘッド。
［技術的特徴２２］
｜（ＣＴＴｏｅ−０．５"／ＣＴＣｅｎｔｅｒ）−１｜＜＝０．０６、および、｜（ＣＴＨｅｅｌ−０．５"／ＣＴＣｅｎｔｅｒ）−１｜＜＝０．０６であり、ＣＴＣｅｎｔｅｒは、上記打撃フェースの上記幾何中心のＣＴ測定値であり、ＣＴＴｏｅ−０．５"は、上記主軸に平行な軸に沿って上記幾何中心から上記トウ側の方向に０．５インチずれた点でのＣＴ測定値であり、ＣＴＨｅｅｌ−０．５"は、上記主軸に平行な軸に沿って上記幾何中心から上記ヒール側の方向に０．５インチずれた点でのＣＴ測定値である技術的特徴１７記載のゴルフクラブヘッド。
［技術的特徴２３］
上記厚い中央部分は実質的に楕円形状であり、実質的に一定の厚さを有し、上記打撃フェースの上記幾何中心は上記主軸の中点に位置づけられ、上記厚い中央部分は上記打撃フェースの上記トウ側の方向に、上記幾何中心からずれている技術的特徴１７記載のゴルフクラブヘッド。
【外国語明細書】
2016064120.tif 000012
2016064120.tif 000013
2016064120.tif 000014
2016064120.tif 000015
2016064120.tif 000016
2016064120.tif 000017
2016064120.tif 000018
2016064120.tif 000019
2016064120.tif 000020
2016064120.tif 000021
2016064120.tif 000022
2016064120.tif 000023
2016064120.tif 000024
2016064120.tif 000025
2016064120.tif 000026
2016064120.tif 000027
2016064120.tif 000028
2016064120.tif 000029
2016064120.tif 000030
2016064120.tif 000031
Ｃｌａｉｍｓ
2016064120.tif 000032
2016064120.tif 000033
2016064120.tif 000034
2016064120.tif 000035
2016064120.tif 000036
2016064120.tif 000037
2016064120.tif 000038
１．Ａｂｓｔｒａｃｔ
2016064120.tif 000039
２．Ｒｅｐｒｅｓｅｎｔａｔｉｖｅ  Ｄｒａｗｉｎｇ
Ｆｉｇ．９
【図１】
2016064120.tif 000040
【図２】
2016064120.tif 000041
【図３】
2016064120.tif 000042
【図４】
2016064120.tif 000043
【図５】
2016064120.tif 000044
【図６】
2016064120.tif 000045
【図７】
2016064120.tif 000046
【図８】
2016064120.tif 000047
【図９】
2016064120.tif 000048